(57)【特許請求の範囲】
【請求項１】
１つの成形機で複数の２つの光ディスクの成形を行う光ディスク成形金型において、
１つの固定側取付板と、前記固定側取付板に固定側第一温調手段を介して取付ける固定側第一ミラーブロックと、前記固定側第一ミラーブロックに取付ける第一スタンパーと、前記固定側取付板に固定側第二温調手段を介して取付ける固定側第二ミラーブロックと、前記固定側第二ミラーブロックに取付ける第二スタンパーと、
１つの可動側取付板と、前記可動側取付板にクランプにて取付ける可動側第一ミラーブロックと、前記可動側第一ミラーブロックに取付けた可動側第一温調回路と、前記可動側取付板にクランプにて取付ける可動側第二ミラーブロックと、前記可動側第二ミラーブロックに取付けた可動側第二温調回路とにより成形金型を構成し、
前記固定側第一温調手段を固定側取付板に装着した状態で、前記第一固定側ミラーブロックのみを取り外し、前記第一スタンパーを成形機の外で脱着可能に、前記固定側第二温調手段を固定側取付板に装着した状態で、前記第二固定側ミラーブロックのみを取り外し、前記第二スタンパーを成形機の外で脱着可能に、前記可動側第一温調手段と共に前記可動側第一ミラーブロックを前記可動側取付板から取外し可能に、前記可動側第二温調手段と共に前記可動側第二ミラーブロックを前記可動側取付板から取外し可能に配置としたことを特徴とする光ディスク成形金型。
【発明の詳細な説明】
【０００１】
【発明の属する技術分野】
本発明は光ディスク成形金型に関するもので、さらに詳しくは複数取り成形金型に関するものである。
【０００２】
【従来の技術】
従来、光ディスク成形金型において、例えば２ケ取り成形を行う場合、図２に示すように、プレート１５を挾んで、固定側ミラーブロック１、可動側ミラーブロック６を備えた金型製品部１６、１７を設けた、いわゆる１個取り金型を２個並設する構成のものが用いられてきた。なお図において、４は固定側ミラーブロック１の表面に装着されたスタンパー、５はスタンパー４の外周を固定する外周リング、１０はスプル、１１はランナーである。
【０００３】
【発明が解決しようとする課題】
しかし、上述した金型構造の場合、金型製品部１６と金型製品部１７はプレート１５と一体となって組み込まれているため、相互に熱の影響を受けやすく、光ディスク金型において最も重要な制御である温度コントロール制御を正確に行うことが困難となるという課題を有していた。また、小ロット生産の場合に、別機種切り替えに伴うスタンパー交換や製品機種が異なる場合製品部自身を入れ替える必要などから金型交換に時間を要していた。すなわち、従来の金型構造の場合は、いったん成形機より金型を取り外した後、金型の分解を行い必要なパーツを組み替えて再度成形機に取り付けるという作業が発生し、金型交換作業に時間を費やし、実際の生産稼動時間も短くなるという課題を有していた。
【０００４】
【課題を解決するための手段】
そこで上記課題を解決するため、本発明は固定側ミラーブロックと可動側ミラーブロックを金型の中心に設けた垂直方向の分割空間において左右に分割し、固定側ユニットおよび可動側ユニットとして独立した左右ユニットを形成することによって、左右ユニットは、熱の影響を受けにくくし、また固定側ユニットはスタンパー交換用のカセット式交換ユニットとし、可動側ユニットも同様にカセット式交換ユニットとすることにより、成形機に取り付けたままで金型交換が可能となる成形金型を提供することができる。
【０００５】
【発明の実施の形態】
本発明の請求項１に記載の発明は、１つの成形機で複数の２つの光ディスクの成形を行う光ディスク成形金型において、
１つの固定側取付板と、前記固定側取付板に固定側第一温調手段を介して取付ける固定側第一ミラーブロックと、前記固定側第一ミラーブロックに取付ける第一スタンパーと、前記固定側取付板に固定側第二温調手段を介して取付ける固定側第二ミラーブロックと、前記固定側第二ミラーブロックに取付ける第二スタンパーと、
１つの可動側取付板と、前記可動側取付板にクランプにて取付ける可動側第一ミラーブロックと、前記可動側第一ミラーブロックに取付けた可動側第一温調回路と、前記可動側取付板にクランプにて取付ける可動側第二ミラーブロックと、前記可動側第二ミラーブロックに取付けた可動側第二温調回路とにより成形金型を構成し、
前記固定側第一温調手段を固定側取付板に装着した状態で、前記第一固定側ミラーブロックのみを取り外し、前記第一スタンパーを成形機の外で脱着可能に、前記固定側第二温調手段を固定側取付板に装着した状態で、前記第二固定側ミラーブロックのみを取り外し、前記第二スタンパーを成形機の外で脱着可能に、前記可動側第一温調手段と共に前記可動側第一ミラーブロックを前記可動側取付板から取外し可能に、前記可動側第二温調手段と共に前記可動側第二ミラーブロックを前記可動側取付板から取外し可能に配置としたことを特徴とする光ディスク成形金型で、固定側ミラーブロックおよび可動側ミラーブロックを垂直方向の分割空間により左右に分割し、それぞれ独立したユニットとすることにより、左右ユニット間における熱伝導を減少し、熱影響を互いに受けにくくすることにより、左右ユニットの温度を個別に制御することができるため、安定した成形が可能となり、また固定側ユニットおよび可動側ユニットはカセット方式で交換できるため、成形機から脱着することが容易となるため、製品機種切り替えに伴う金型交換が即時にかつ容易にできるという作用を有する。
【０００７】
以下、本発明の実施の形態について、図１を用いて説明する。
（実施の形態）
図１は本発明の光ディスク成形金型の構造を示し、２個取り成形金型による実施の形態を示す。図１に示すように、１ａ、１ｂは２個取り成形金型において、左右に分割された固定側第一（左側）ミラーブロック１ａと固定側第二（右側）ミラーブロック１ｂで、２は固定側第一（左側）ミラーブロック１ａと固定側第二（右側）ミラーブロック１ｂの夫々の中心部に設けられたスプルーブッシュ、３は固定側第一（左側）ミラーブロック１ａと固定側第二（右側）ミラーブロック１ｂを取付ける固定側取付板、４は固定側第二（右側）ミラーブロック１ｂの表面に装着された第二（右側）スタンパー、（図示していないが、同様に固定側第一（左側）ミラーブロック１ａに第一（左側）スタンパーが装着されている）、５はスタンパー４の外周部を固定する外周リング、６ａ、６ｂは左右に分割された可動側第一（左側）ミラーブロックと可動側第二（右側）ミラーブロック、７はエジェクタピン、８は可動側第一（左側）ミラーブロック６ａ、可動側第二（右側）ミラーブロック６ｂを後述する可動側取付板に固定するクランプ、９は可動側取付板、１０はスプルー、１１はランナー、１２は固定側第一（左側）ミラーブロック１ａ、固定側第二（右側）ミラーブロック１ｂと左右の可動側第一（左側）ミラーブロック６ａ、可動側第二（右側）ミラーブロック６ｂを金型中心において垂直方向に分割する分割空間、１３はエアー配管、１４は温調手段である。
【０００８】
本実施の形態においては、固定側第一（左側）ミラーブロック１ａ、固定側第二（右側）ミラーブロック１ｂは、中央の分割空間１２により左右に分割され、それぞれ独立した固定側ユニット１Ａ、１Ｂを形成する。同様に、可動側第一（左側）ミラーブロック６ａ、可動側第二（右側）ミラーブロック６ｂも、分割空間１２により左右に分割され、それぞれ独立した可動側ユニット６Ａ、６Ｂを形成する。また、エアー配管１３、温調手段１４の配管（図示せず）も各ユニット毎に独立して設けられ、より詳細には、分類し符号で示していないが、図１に示すように、固定側ユニット１Ａ、１Ｂには夫々固定側第一（左側）温調手段と固定側第二（右側）温調手段、可動側ユニット６Ａ、６Ｂには夫々可動側第一（左側）温調手段と可動側第二（右側）温調手段を設けているため、個別にコントロールされるように構成されている。
【０００９】
このように、本実施の形態によれば、左右の固定側ユニット１Ａ、１Ｂ、可動側ユニット６Ａ、６Ｂは分割空間１２により分割されているので、左右ユニット間における熱伝導を減少することができ、各ユニットにおける温度制御を正確に行うことができる。さらに可動側第一（左側）ミラーブロック６ａ、可動側第二（右側）ミラーブロック６ｂをクランプ８を取り外して可動側取付板９から取り外すことにより、成形機から脱着することができるため、成形機に金型を取り付けたままで、カセット方式で可動側ユニット６Ａ、６Ｂを交換することができる。同様に、固定側第一（左側）ミラーブロック１ａ、固定側第二（右側）ミラーブロック１ｂも固定側取付板３から取り外すことにより、スタンパー交換時にカセット方式で固定側ユニット１Ａ、１Ｂを成形機から脱着することが可能となる。
【００１０】
なお、上記の実施の形態においては、２個取り成形金型について説明したが、本発明は２個取り成形金型に限定されるものではない。
【００１１】
【発明の効果】
本発明によれば、固定側ミラーブロックおよび可動側ミラーブロックを垂直方向の分割空間により左右に分割し、それぞれ独立したユニットとすることにより、左右ユニット間における熱伝導を減少し、熱影響を互いに受けにくくしたので、温度を個別に制御することができるため、安定した成形が可能となり、また固定側ユニットおよび可動側ユニットはカセット方式で交換できるため、成形機から脱着することが容易となるため、製品機種切り替えに伴う金型交換が即時にかつ容易にできるという効果を有する。
【図面の簡単な説明】
【図１】本発明の一実施の形態による２個取り成形金型を示す概要図である。
【図２】従来の２個取り成形金型を示す概要図である。
【符号の説明】
１Ａ、１Ｂ  固定側ユニット
１ａ、１ｂ  左右固定側ミラーブロック
２  スプルーブッシュ
２ａ  スプルーブッシュ取付口
３  固定側取付板
４  スタンパー
５  外周リング
６Ａ、６Ｂ  可動側ユニット
６ａ、６ｂ  左右可動側ミラーブロック
７  エジェクタピン
８  クランプ
９  可動側取付板
１０  スプル
１１  ランナー
１２  分割空間
１３  エアー配管
１４  温調手段
１５  プレート
１６  金型製品部
１７  金型製品部
【図１】
0003916866.tif 000002
【図２】
0003916866.tif 000003